(57)【要約】【課題】基板接続信頼性を高めることが可能なインナーターミナルを提供する。また、インピーダンスの調整を行い高周波特性を向上させることが可能なインナーターミナルを提供する。【解決手段】インナーターミナル２１における連結部２７の水平方向部分２９には、キャリア接続切断用膨出部３１が一体に形成されている。キャリア接続切断用膨出部３１は、水平方向部分２９の両側部から膨らむように形成されている。また、キャリア接続切断用膨出部３１は、水平方向部分２９と同じ肉厚で表裏とも水平方向部分２９に同一平面となる板状に形成されている。さらに、キャリア接続切断用膨出部３１は、この膨らみの縁部がターミナル製造時のキャリア接続・切断部分となるように形成されている。【選択図】図１
2010021093.tif 000002
【特許請求の範囲】
【請求項１】
回路基板上に設けられる回路基板用同軸コネクタを構成するインナーターミナルであって、相手インナーターミナルとの接続がなされる電気接触部と前記回路基板に半田付けされる回路基板接続部との間に連結部を有するインナーターミナルにおいて、
前記連結部は、該連結部の両側部から膨らんで板状となり、且つ膨らみの縁部がターミナル製造時のキャリア接続・切断部分となるキャリア接続切断用膨出部を有する
ことを特徴とするインナーターミナル。
【請求項２】
請求項１に記載のインナーターミナルにおいて、
前記キャリア接続切断用膨出部は、この面積によってインピーダンスを調整する部分としての機能を有する
ことを特徴とするインナーターミナル。
【発明の詳細な説明】
【技術分野】
【０００１】
本発明は、回路基板に設けられる回路基板用同軸コネクタを構成するインナーターミナルに関する。
【背景技術】
【０００２】
高周波の電気信号を伝送するために高周波対応の同軸ケーブルが用いられている。この同軸ケーブルの端末には、プラグタイプの同軸コネクタが設けられている。プラグタイプの同軸コネクタは、回路基板に設けられるレセプタクルタイプの同軸コネクタ（回路基板用同軸コネクタ）と電気的に接続されるようになっている。
【０００３】
下記特許文献１に開示されたレセプタクルタイプの同軸コネクタは、回路基板上の信号パターンに半田付けされるインナーターミナルと、このインナーターミナルを収容する誘電体と、誘電体を覆うように設けられるアウターターミナルと、上記プラグタイプの同軸コネクタが嵌合するハウジングと、を備えて構成されている。
【０００４】
インナーターミナルは、上記プラグタイプの同軸コネクタにおける相手インナーターミナルとの接続がなされる電気接触部と、回路基板に半田付けされる回路基板接続部と、これらを連結する板状の連結部とを有している。インナーターミナルには、めっきが施されている。連結部は、通常、回路基板接続部と同じ幅で細長く形成されている（連結部は、インナーターミナル自体が比較的小さなものであることから、幅狭で細長い部分となっている）。
【特許文献１】特開２００２−３３１６１号公報
【発明の開示】
【発明が解決しようとする課題】
【０００５】
インナーターミナルは、回路基板上の信号パターンへの半田付けに関し、接続強度を十分に確保することができない恐れがある、という問題点を有している。
【０００６】
この問題点に関して図３を参照しながら説明すると、インナーターミナル１は製造過程においてキャリア２から切り離されるようになるが、キャリア接続切断位置３を回路基板接続部４とキャリア２との間に設定した場合、このようなキャリア接続切断位置３で切断を行うと、回路基板接続部４の端面５は切断面となることから、めっきが無い状態になってしまう。従って、回路基板６上で回路基板接続部４の端面５の位置に半田を乗せようとしても思うように乗らず、結果、図４に示す如くの裾広がり形状となるフィレット７の形成ができなくなってしまうことから、接続強度を十分に確保することが困難になり、これが問題点となる（基板接続信頼性が低いと言える）。
【０００７】
上記問題点を解決しようとしてキャリア接続切断位置３を、図５に示す如くインナーターミナル１における連結部８の位置に設定すると、この場合はめっきもあることからフィレット７（図４参照）が形成されて接続強度を十分に確保することができるようになる。しかしながら、回路基板接続部４と信号パターンとを半田付けした後にキャリア接続切断位置３での切断を行うような工程では、切断の際の力が半田付け部分に伝わってしまう恐れがあり、伝わった場合には半田付け部分に歪みが生じてしまうことから、これが問題点となる（半田付け部分の幅は例えば０．５ｍｍ程度で極めて細く歪みが生じ易い。基板接続信頼性が低いと言える）。
【０００８】
この他、図６に示す如く、電気接触部９とキャリア２との間にキャリア接続切断位置３を設定する場合にあっては、切断時のバリが残ったままであると相手インナーターミナルとの接続の際にバリが引っ掛かってしまうという問題点を有している。
【０００９】
インナーターミナルに関し、特に図示しないが、同軸コネクタを回路基板に設けた状態において、連結部８の位置等でインピーダンスに乱れが生じてしまうことがあり、高周波性能の低下が懸念されるという問題点を有している。
【００１０】
本発明は、上記した事情に鑑みてなされたもので、基板接続信頼性を高めることが可能なインナーターミナルを提供することを課題とする。また、インピーダンスの調整を行い高周波特性を向上させることが可能なインナーターミナルを提供することも課題とする。
【課題を解決するための手段】
【００１１】
上記課題を解決するためになされた請求項１記載の本発明のインナーターミナルは、回路基板上に設けられる回路基板用同軸コネクタを構成するインナーターミナルであって、相手インナーターミナルとの接続がなされる電気接触部と前記回路基板に半田付けされる回路基板接続部との間に連結部を有するインナーターミナルにおいて、前記連結部は、該連結部の両側部から膨らんで板状となり、且つ膨らみの縁部がターミナル製造時のキャリア接続・切断部分となるキャリア接続切断用膨出部を有することを特徴としている。
【００１２】
このような特徴を有する本発明によれば、キャリア接続・切断部分が回路基板接続部の位置でないことから、インナーターミナルに施すめっきが無くなることはなく、回路基板への半田付けを行えばフィレットが確実に形成される。従って、接続強度は十分に確保される。また、本発明によれば、キャリア接続・切断部分が、膨らんだ板形状となるキャリア接続切断用膨出部の位置になることから、切断の際の力がキャリア接続切断用膨出部の強度によって半田付け部分に伝わることはなく、結果、半田付け部分に歪みが生じることはない。従って、接続強度は十分に確保される。
【００１３】
請求項２記載の本発明のインナーターミナルは、請求項１に記載のインナーターミナルにおいて、前記キャリア接続切断用膨出部は、この面積によってインピーダンスを調整する部分としての機能を有することを特徴としている。
【００１４】
このような特徴を有する本発明によれば、キャリア接続切断用膨出部の面積を調整することでインピーダンスの乱れを最小限に抑えることが可能になる。
【発明の効果】
【００１５】
請求項１に記載された本発明によれば、回路基板との半田付けに係る接続強度を十分に確保することができるという効果を奏する。従って、従来よりも基板接続信頼性を高めることができるという効果を奏する。
【００１６】
請求項２に記載された本発明によれば、インピーダンスを調整することができるという効果を奏する。従って、インピーダンスの乱れを最小限に抑え、従来よりも高周波特性を向上させることができるという効果を奏する。
【発明を実施するための最良の形態】
【００１７】
以下、図面を参照しながら説明する。図１は本発明のインナーターミナルの一実施の形態を示す斜視図である。また、図２はキャリアに接続された状態を示すインナーターミナルの斜視図である。
【００１８】
図１において、引用符号２１は本発明のインナーターミナルを示している。インナーターミナル２１は、回路基板２２上に設けられる回路基板用同軸コネクタ２３を構成する一部品であって、導電性を有する金属板をプレス加工することにより図示の形状に形成されている（雌型での形状は一例であるものとする。ピン状の雄型形状にしても良いものとする）。インナーターミナル２１は、回路基板２２との半田付け２４に係る接続強度を十分に確保することができるように構成されている。また、従来よりも高周波特性を向上させることができるようにも構成されている。先ず、インナーターミナル２１の構造について説明する。
【００１９】
インナーターミナル２１は、電気接触部２５と、回路基板接続部２６と、これらを連結する連結部２７とを有している。インナーターミナル２１には、公知のめっきが施されている。電気接触部２５は、回路基板用同軸コネクタ２３との接続相手となる相手同軸コネクタ（図示省略）の相手インナーターミナルとの接続がなされる部分であって、拡径可能な弾性を有する筒状に形成されている（相手インナーターミナルはピン状の雄型形状になる）。電気接触部２５は、本形態において、公知の形状が採用されている。
【００２０】
回路基板接続部２６及び連結部２７は、細長い板状の形状に形成されている。これらのうち、回路基板接続部２６は、回路基板２２の信号パターン２８に半田付け２４される部分として形成されている。回路基板接続部２６は、表裏が平坦となるように形成されている。回路基板接続部２６は、この形成後から半田付け２４までの間に他の加工がなされないようになっている。つまり、全体に上記めっきが残るようになっている（半田付け２４の際にフィレット７（図４参照）が確実に形成される）。回路基板接続部２６は、本形態において、公知の形状が採用されている。
【００２１】
連結部２７は、上記の如く電気接触部２５と回路基板接続部２６とを連結する部分であって、一端が電気接触部２５に、他端が回路基板接続部２６に連成されている。連結部２７は、電気接触部２５の軸に沿ってのび回路基板２２に平行となる水平方向部分２９と、この水平方向部分２９及び回路基板接続部２６に直交するようにのびる垂直方向部分３０とを有して略Ｌ字状に折り曲げ形成されている。
【００２２】
水平方向部分２９には、本発明の特徴部分となるキャリア接続切断用膨出部３１が一体に形成されている。キャリア接続切断用膨出部３１は、水平方向部分２９の両側部から膨らむように形成されている。また、キャリア接続切断用膨出部３１は、水平方向部分２９と同じ肉厚で表裏とも水平方向部分２９に同一平面となる板状に形成されている。さらに、キャリア接続切断用膨出部３１は、この膨らみの縁部がターミナル製造時のキャリア接続・切断部分（後述する）となるように形成されている。
【００２３】
キャリア接続切断用膨出部３１の平面視の形状は、円形、長円形、楕円形、長方形、正方形等様々な形状が挙げられるものとする。平面視の形状は、この面積を調整する上で適宜選択されるものとする。
【００２４】
上記の面積の調整に関し、キャリア接続切断用膨出部３１は、この面積を調整することによってコネクタ実装時におけるインピーダンスの調整を図ることができるようになっている。言い換えれば、面積を調整することによってインピーダンスの乱れを最小限に抑えることができるようになっている。例えば、インピーダンスを上げたい場合には面積を小さくし、インピーダンスを下げたい場合には面積を大きくするような調整がなされるものとする。本形態においては、最も高周波性能が良くなるようにシミュレーションや試作品を用いて面積や形状等が決定されている。尚、キャリア接続切断用膨出部３１の最小幅は電気接触部２５の直径であり、最大幅は回路基板用同軸コネクタ２３を構成する図示しないアウターターミナルに接触しない寸法であるものとする。
【００２５】
次に、図２を参照しながら製造過程においてのインナーターミナル２１の状態について説明する。
【００２６】
インナーターミナル２１は、キャリア３２に接続された状態で曲げ加工やめっき等が施されるようになっている（公知の工法を採用しているので説明は省略する）。インナーターミナル２１は、キャリア３２からのびる一対のターミナル接続アーム３３によって接続されている。一対のターミナル接続アーム３３は、インナーターミナル２１の軸方向に沿ってのびており、この先端部分がキャリア接続切断用膨出部３１の縁部に連続するように形成されている。引用符号３４はキャリア接続切断位置を示している（キャリア接続・切断部分でもある）。
【００２７】
本発明のインナーターミナル２１は、細長い連結部２７の両側部位置でなく、これよれも外側に膨らむキャリア接続切断用膨出部３１の縁部（ここでは連結部２７の両側部から一番離れる位置となるキャリア接続切断位置３４）においてキャリア３２（ターミナル接続アーム３３）に接続されている。従って、インナーターミナル２１をキャリア３２から切り離す際の切断により生じる力がキャリア接続切断用膨出部３１の強度によって半田付け２４の部分に伝わることはなく、結果、半田付け２４の部分に歪みが生じることはない（負荷が掛かることはない）。つまり、接続強度を十分に確保することができる。
【００２８】
以上、図１及び図２を参照しながら説明してきたように、本発明のインナーターミナル２１によれば、キャリア接続切断位置３４をキャリア接続切断用膨出部３１に設定していることから、キャリア３２からの切り離しをしても回路基板接続部２６のめっきが無くなることはなく、結果、回路基板２２との半田付け２４に係る接続強度を十分に確保することができる（回路基板２２への半田付け２４を行えば確実にフィレット７（図４参照）が形成される）。従って、従来よりも基板接続信頼性を高めることができるという効果を奏する。
【００２９】
また、本発明のインナーターミナル２１によれば、キャリア接続切断用膨出部３１によってインピーダンスを調整することができる。従って、インピーダンスの乱れを最小限に抑え、従来よりも高周波特性を向上させることができるという効果を奏する。
【００３０】
本発明は本発明の主旨を変えない範囲で種々変更実施可能なことは勿論である。
【図面の簡単な説明】
【００３１】
【図１】本発明のインナーターミナルの一実施の形態を示す斜視図である。
【図２】キャリアに接続された状態を示すインナーターミナルの斜視図である。
【図３】従来例のインナーターミナルでキャリアに接続された状態の斜視図である。
【図４】回路基板に半田付けした状態を示す側面図である。
【図５】従来例のインナーターミナルでキャリアとの接続位置を連結部に変えた状態の斜視図である。
【図６】従来例のインナーターミナルでキャリアとの接続位置を電気接触部に変えた状態の斜視図である。
【符号の説明】
【００３２】
２１  インナーターミナル
２２  回路基板
２３  回路基板用同軸コネクタ
２４  半田付け
２５  電気接触部
２６  回路基板接続部
２７  連結部
２８  信号パターン
２９  水平方向部分
３０  垂直方向部分
３１  キャリア接続切断用膨出部
３２  キャリア
３３  ターミナル接続アーム
３４  キャリア接続切断位置（キャリア接続・切断部分）
【図１】
2010021093.tif 000003
【図２】
2010021093.tif 000004
【図３】
2010021093.tif 000005
【図４】
2010021093.tif 000006
【図５】
2010021093.tif 000007
【図６】
2010021093.tif 000008